(57)【要約】【課題】  Gコード、EPGなどを用いた番組予約方法では、１件の番組予約ごとに、予約番組の選択、送信、という一連の番組予約操作を行わなければならなかった。またTVモニタやPCのモニタに電子番組表を表示させた場合、一度にたくさんの番組を表示し閲覧するには不便であった。【解決手段】  番組表マークシートを読取り、抽出した番組予約情報を録画予約制御部に送信する画像読取り記録装置により、使用者は番組表マークシートの予約したい番組にマークし、画像読取り装置に読み込ませることで、マークシートを読み込ませる操作を１度行うだけで複数の番組予約を同時に行うことができる。【選択図】  図４
2007060533.tif 000002
【特許請求の範囲】
【請求項１】
テレビ映像を受信する手段と、
受信したテレビ放送を録画する手段と、
前記録画したテレビ放送をモニタに表示できる形式に変換する手段と、
前記変換したテレビ放送をモニタに出力する手段とを有し、
電子番組表情報を外部から受信する手段と、
電子番組表情報を各番組ごとに記述箇所を付加した表の形式に変換する手段と、
画像を印刷する画像記録手段と、
画像を読み取る画像読み取り手段と、
読み取った番組表画像から番組予約情報を作成する作成手段と、
番組予約情報をもとに、番組録画予約を行う手段と、
を有する放送録画再生装置。
【請求項２】
電子番組表情報を外部から受信する手段と、
電子番組表情報を各番組ごとに記述箇所を付加した表の形式に変換する手段と、
画像を印刷する画像記録手段と、
画像を読み取る画像読み取り手段と、
読み取った番組表画像から番組予約情報を作成する作成手段と、
番組予約情報を番組録画再生装置に転送する手段と、
を有する画像読取り記録装置。
【請求項３】
請求項２の画像読取記録装置において、
ファクシミリ送受信を行う手段と、
ファクシミリ受信した番組表画像から番組予約情報を作成する手段と、
前記番組予約情報を番組録画再生装置に転送する手段と、
を有する画像読取り記録装置。
【請求項４】
請求項１の放送録画再生装置及び請求項２の画像読取り記録装置で読み取り、録画予約情報を抽出することが可能な形式の放送番組表。
【請求項５】
画像を読み取り、読み取った画像から作成した番組予約情報から録画予約を行うテレビ番組予約方法。
【発明の詳細な説明】
【技術分野】
【０００１】
テレビ放送番組の録画予約ができる放送録画再生装置、及び画像読取り記録装置に関する。
【背景技術】
【０００２】
見たいテレビ番組を放映する時間に家に居ない場合等、見たい番組を録画装置に録画予約をしておくという方法がある。録画予約の方法は、録画開始時刻・録画終了時刻・チャンネルの設定・画質などをキーで入力する必要があり、ある程度の慣れがないとこの作業を実行することは難しい。そこで電子機器に慣れていない老人などでも簡単に録画予約作業ができるようにバーコードを使って録画予約情報を読み取らせる方法(Gコード)や、EPG(electronic program guide)と呼ばれる電子番組表から番組を選ぶことにより番組予約を行う方法などがある。
【０００３】
又、別の従来例としては、特許文献１をあげることが出来る。
【特許文献１】特開2003-037784号公報
【発明の開示】
【発明が解決しようとする課題】
【０００４】
TV番組の録画予約装置の記録メディアとして、VTRだけでなく近年ハードディスクやDVDなどの大容量メディアを利用した機器が登場しており、一度に何件もの録画予約を入力し録画を取りためる機会が増えてきた。
【０００５】
しかし、Gコード、EPGなどを用いた番組予約方法では、１件の番組予約ごとに、予約番組の選択、送信、という一連の番組予約操作を行わなければならなかった。よって、例えば次の一週間の複数の番組予約を行いたいという場合に、番組選択を行い番組予約のデータを転送する作業を複数の予約について毎回行わなければならない。またTVモニタやインターネットを介したPCモニタに表示させたWEBブラウザ上で電子番組表を表示して閲覧するため、一度にたくさんの番組を表示させるには不便であった。
【課題を解決するための手段】
【０００６】
本発明では、電子番組表情報にマークシート情報を付加した番組表マークシートを作成し、これを読み取る手段によって、使用者が番組表マークシートにマークすることで複数の番組予約を簡単に行うことを実現している。
【０００７】
本発明の請求項1記載の放送録画再生装置は、テレビ放送を受信し指定したチャンネルを抽出するチューナと、前記チューナにより抽出されたチャンネルの放送信号を表示するテレビ受像機とを備え、また、テレビ番組情報を外部から取り込む手段を備えた前記放送録画再生装置において、
電子番組表データを所定の番組表マークシートとして印刷できる形式に変換する手段と、
番組表マークシートを印刷する手段と、画像を読み取る画像読取手段と、画像の濃淡と位置情報からマークシートにマークされたかどうかを判断し、そこからテレビ番組内容、番組開始時刻、番組終了時刻、放送チャンネル等を含む、番組予約情報を抽出する手段と、番組予約情報を元にテレビ番組の録画予約を行う手段とを備えたことを特徴とする。
【０００８】
本発明の請求項２記載の画像読取り記録装置において、
テレビ番組情報を外部から取り込む手段と、電子番組表データを所定の番組表マークシートとして印字できる形式に変換する手段と、番組表マークシートを印字する手段と、画像を読み取る画像読取手段と、画像の濃淡からマークシートにマークされたかどうかを判断し、そこからテレビ番組内容、番組開始時刻、番組終了時刻、放送チャンネル等を含む、番組予約情報を抽出する手段と、抽出した番組予約情報を、テレビ番組を録画予約可能な放送録画再生装置に出力する手段とを備えることを特徴とする。
【０００９】
本発明の請求項３に記載の発明は請求項２記載の画像読取り記録装置において、番組表マークシートをファクシミリ受信し、そこからテレビ番組内容、番組開始時刻、番組終了時刻、放送チャンネル等を含む、番組予約情報を抽出する手段と、抽出した番組予約情報を、テレビ番組を録画予約可能な放送録画再生装置に出力する手段とを備えることを特徴とする。
【００１０】
本発明の請求項４に記載の発明はマークシートが付加されたテレビ番組表であり、これを読み込み処理することで録画予約情報が取得できるものである。この番組表マークシートは請求項１の番組録画再生装置の画像記録部および請求項２の画像読取り記録装置から印刷することが可能であり、また、市販のテレビガイド雑誌などに付属することができる。
【００１１】
本発明の請求項４記載のテレビ番組録画予約方法は、番組表マークシート画像から、テレビ番組予約情報を抽出し、その番組予約情報をもとに番組録画予約を行うテレビ番組録画予約方法である。
【発明の効果】
【００１２】
本発明によれば、使用者は番組表マークシートの予約したい番組にマークし、番組表マークシートを請求項１記載の録画再生装置または請求項２の画像読取り記録装置に読み込ませる操作を１度行うだけで複数の番組予約を同時に行うことができる。使用者が行うのはマークシートに鉛筆などでマークすることと、マークシートを読み込ませる操作のみでキーによる複雑な操作を必要としないため、電子機器に慣れていない使用者であっても簡単に録画予約が可能であり、受信チャンネルや録画開始時間などの入力間違いがおこりにくい。
【００１３】
また、番組表マークシートは普通紙などに印刷した場合、TVモニタやPCのモニタで閲覧するよりも大量の番組表を閲覧するのに適しており、使用者が慣れ親しんでいるであろう新聞のテレビ欄などに似た形式にすれば番組の閲覧が行いやすい。
【発明を実施するための最良の形態】
【００１４】
以下、本発明に係わる第一の実施形態について、図面を参照して説明する。
【実施例１】
【００１５】
図１は、本実施形態における番組録画予約システムの構成を示す図である。
【００１６】
同図において、この放送番組録画装置100は録画予約された番組の記録再生を行う録画再生部120、モニタに送信する信号を選択する映像信号出力部102、周知のCPU109、ROM110、RAM111、操作キー受付制御部104、放送番組を受信しCPUからの命令によって復調するチャネルを変更できるチューナ部101、受信チャンネル・録画開始時間・録画終了時間等の情報から録画予約を実行する録画予約制御部106、EPGなどの電子番組表情報を録画予約制御部が処理できる形式に復号化する電子番組表復号部107、電子番組表情報を取得するための外部とのインターフェース105、インクジェット方式または熱転写方式などの印字手段で電子番組表の印刷を行う画像記録部113、電子番組表を読み取るCIS、CCDなどの画像読取手段112により構成される。録画再生装置120の内部は記録媒体にHDドライブを用いた構成を示しており、A/D変換部121、MPEG２エンコーダ122、HD記録再生制御部123、HDD(Hard Disc Drive)124、HDD記録再生制御部123、MPEG２デコーダ122、モニタに表示する字情報を映像信号に付加するOSD(On Screen Display)126、D/A変換器127などからなる。VTRを記録媒体として構成した場合、録画再生部120の内部は、録画再生用ヘッド及び駆動制御部、テープリール駆動用モータ及び制御部などからなる。もちろん、DVDやその他の記録媒体を用いても実現可能である。チューナ部101はアンテナ113に接続され放送電波を受信する。映像信号出力部112はTVモニタ103に接続され、映像信号をモニタに送信する。LANインターフェース105は外部のネットワークと接続されており、このネットワークを通じて電子番組表情報を取得する。
【００１７】
次に図3に示すフローチャートに従って、図1の録画予約再生装置が番組表マークシートを印刷する処理について説明する。操作キー受付制御部104の中のマークシート印刷キーを押下することにより(S101)、CPU109の命令によって、PCなどからUSBやLAN (local area network)などの外部インターフェース105により電子番組表情報が受信される(S102)。または、チューナ部101が受信する放送信号に多重される補助信号より電子番組表情報が受信される。受け取った電子番組予約情報はマークシート画像処理部108により、マークシート情報が付加され、番組表マークシートの形式として処理される(S103)。次に、操作キー受付制御部104において印刷する番組表マークシートの範囲を設定する(S104)。例えば番組表の日付を設定するとして１日とした場合、その日の分の番組表マークシートが印刷され、７日とした場合、その日から一週間分の番組表マークシートが印刷される。マークシート画像処理部108で変換されたマークシートデータは画像記録部112に送られ、印刷印刷される(S105)。前記放送録画再生装置100の使用者は、この印刷された番組表マークシートに自分が録画したい番組を鉛筆などでマークする。
【００１８】
次に図4に示すフローチャートに従って、図1の録画予約再生装置100が番組表マークシートから番組録画予約を実行する処理について説明する。操作キー受付制御部104の中の番組表マークシート録画予約キーを押下することにより、放送録画再生装置100は番組表マークシートを読み取るためのモードに移行する(S201)。画像読取り部112は番組表マークシートを読取り、読み取った画像情報は一旦RAM111に記憶される(S202)。RAM111に格納されたマークシート画像情報はCPU109の命令によりマークシート画像処理部108に転送され、マークシート画像処理部109は前記画像情報のマーク位置、マーク濃度から、番組予約情報を抽出する(S203)。この番組予約情報は、録画予約制御部106に送られ(S205)、番組録画予約が実行される。このときマークシートにマークした番組の時間帯が重複していたり(S205)、録画予約再生装置100の記録媒体の空き容量が不足していた場合(S207)、図示しない液晶ディスプレイなどの表示部にエラーメッセージを表示する。使用者はこのエラーメッセージを見て、マークシートのマークをやり直し、再度番組表マークシートの読取りを行う(S202)。正しくマークがなされ、記憶媒体に空き容量があることが確認されたときは録画予約制御部106が録画予約の設定を行う(S208)。もちろんこの放送録画再生装置100では、受信チャネル・録画開始時間・録画終了時間等を操作キー受付制御部104で手動で入力したり、テレビモニタに表示された電子番組表から予約したい番組を指定して録画予約制御部106に送信することで通常の録画予約を行うことも可能である。
【００１９】
設定した録画開始時刻に近づくと、CPU109の命令により受信すべきチャンネル情報がチューナ101に供給される。チューナ101は、アンテナが受信する放送電波のうち受信すべきチャンネルを選定して受信する。この受信された放送信号は、録画記録再生部120に送られる。ここでは記録媒体にHDドライブ(hard disc drive)を用いた録画予約再生装置であると仮定して説明すると、この受信された放送信号は、まずA/D変換部121でディジタル信号に変換された後MPEG２エンコーダ122に供給される。このMPEG２エンコーダ122では、供給された信号はMPEG2標準規格に従って圧縮符号化がなされる。符号化された放送信号は、HD記録再生制御部123によって、HDドライブ124に、セクタサイズごとに分割されて所定の記録領域に記録される。以上のように選択された受信チャンネルの放送信号は圧縮符号化されてHDD124内の所定の記録領域に記録される。
【００２０】
次にHDD124に記録された映像を再生する場合、まず、リモコンまたはキーによる操作で再生ボタンが押され、操作キー受付制御部104がこの操作信号を受け取ると、CPU109の命令によりHDD124から所定の映像データが読み出され、HD記録再生制御部123に送られる。MPEG２デコーダ125では供給された圧縮符号化された放送信号をMPEG2標準規格により復号化する。複合化された放送信号はOSD126へ送られ、OSD126ではモニタに表示するべき表示信号が放送信号に多重化して付加され、D/A変換部127に送られる。放送信号はD/A変換部127でTVモニタに表示できる形式のアナログ映像信号に変換され、TVモニタで映像として出力される。録画予約された放送映像信号は以上のようにして、HDD124に記録され、リモコンおよびキーの操作によってTVモニタに出力される。
【００２１】
次に以下、本発明に係わる第二の実施形態について、図面を参照して説明する。
【実施例２】
【００２２】
図２は、本実施形態における番組録画予約システムの構成を示す図である。同図において、番組予約システムは、画像読取り記録装置300と録画再生予約装置200およびTVモニタから構成される。
【００２３】
放送番組録画装置200は録画予約された番組の記録再生を行う録画再生部220、周知のCPU208、ROM209、RAM210、操作キー受付制御部204、放送番組を受信しCPU208からの命令によって復調するチャネルを変更できるチューナ部201、受信チャンネル・録画開始時間・録画終了時間等の情報から録画予約を実行する録画予約制御部207、EPGなどの電子番組表情報を録画予約制御部207が処理できる形式に復号化する電子番組表復号部206、電子番組表情報を取得するための外部とのインターフェース205により構成される。
【００２４】
チューナ部101はアンテナ212と接続されている。録画再生部220の内部は記録媒体にHDドライブを用いた構成であれば、図示していないA/D変換部、MPEG２エンコーダ、HD記録再生制御部、HDドライブ、MPEG２デコーダ、供給された情報を表示できる形式に変換するOSD(On Screen Display)、D/A変換部などからなる。VTRを記録媒体に用いた場合は、録画再生用ヘッド及び駆動制御部、テープリール駆動用モータ及び制御部などからなる。もちろん、DVDやその他の記録媒体を用いても実現可能である。
【００２５】
画像読み取り記録装置300は、電子番組表情報を取得するための外部とのインターフェース309、インクジェット方式または熱転写方式などの印刷手段で電子番組表の印刷を行う画像記録部303、電子番組表を読み取るCIS、CCDなどの画像読取部302、周知のCPU301、ROM306、RAM307、操作キー受付制御部305、FAXモデム304により構成される。FAXモデム304は一般電話回線(PSTN)に接続されており、PSTNにつながった他のFAX送受信装置と画像通信を行うことができる。操作キー受付制御部305の操作キーの中にはスキャンモード、コピーモードなど、画像読取り記録部302を特定のモードに切り替えるためのキースイッチが用意されており、これらのキーと同様に、番組表マークシート読取りモードにきりかえるためのキーが存在する。
【００２６】
次に図3に示すフローチャートに従って、図2の録画予約再生システムが番組表マークシートを印刷する処理について説明する。操作キー受付制御部104の中のマークシート印刷キーを押下することにより(S101)、CPU109の命令によって、ネットワークからLANなどの外部インターフェース309により電子番組表情報が画像読取り記録装置300内のRAM307に受信される(S102)。または、放送録画再生装置200内のチューナ部101が受信する放送信号に多重される補助信号より電子番組表情報が受信され、LANなどのネットワーク経由で画像読取り記録装置に電子番組表情報が送信される。画像読取り装置300が受け取った電子番組予約情報はマークシート画像処理部308により、マークシート情報が付加され、番組表マークシートの形式として処理される(S103)。次に、操作キー受付制御部305において印刷する番組表マークシートの範囲を設定する(S104)。例えば番組表の日付を設定するとして１日とした場合、その日の分の番組表マークシートが印刷され、７日とした場合、その日から一週間分の番組表マークシートが印刷される。マークシート画像処理部108で変換された番組表データは画像記録部112に送られ、印刷印刷される(S105)。前記放送録画再生装置100の使用者は、この印刷された番組表マークシートに自分が録画したい番組を鉛筆などでマークする。
【００２７】
次に図4に示すフローチャートに従って、図２の録画予約再生システムが番組表マークシートから番組録画予約を実行する処理について説明する。画像読取装置300の操作キー受付制御部305の中の番組表マークシート録画予約キーを押下することにより、画像読取り記録装置300は番組表マークシートを読み取るためのモードに移行する(S201)。画像読取り部302は番組表マークシートを読取り、読み取った画像情報は一旦RAM307に記憶される(S202)。または、PSTN回線に接続されたFAX送受信装置から番組表マークシートをFAX受信し、FAXモデムにより復号化することで得られた番組表マークシート画像情報を使用しても良い。RAM307に格納されたマークシート画像情報はCPU301の命令によりマークシート画像処理部308に転送され、マークシート画像処理部308は前記画像情報のマーク位置、マーク濃度から、番組予約情報を抽出する(S203)。この番組予約情報は、LANなどのネットワークを介して放送録画再生装置200の録画予約制御部206に送られ(S205)、番組録画予約が実行される(S208)。このときマークシートにマークした番組の時間帯が重複していたり(S205)、録画予約再生装置100の記録媒体の空き容量が不足していた場合(S207)、放送録画再生装置200に付属する図示しない液晶ディスプレイなどの表示部にエラーメッセージを表示する。使用者はこのエラーメッセージを見て、マークシートのマークをやり直し、再度番組表マークシートの読取りを行う(S202)。正しくマークがなされ、記憶媒体に空き容量があることが確認されたときは録画予約制御部206が録画予約の設定を行う(S208)。もちろんこの放送録画再生装置100では、受信チャネル・録画開始時間・録画終了時間等を操作キー受付制御部104で手動で入力したり、テレビモニタに表示された電子番組表から予約したい番組を指定して録画予約制御部106に送信することで通常の録画予約を行うことも可能である。放送番組の録画再生方法は第一の実施例と同様のため割愛する。
【図面の簡単な説明】
【００２８】
【図１】本発明に係る第一実施形態における放送録画再生装置の構成を示すブロック図である。
【図２】本発明に係る第二実施形態における放送録画再生システムの構成を示すブロック図である。
【図３】本実施形態第一及び第二における番組表マークシート印刷の動作を示すフローチャートである。
【図４】本実施形態第一及び第二における番組表マークシートによる番組予約の動作を示すフローチャートである。
【図５】本実施形態第一及び第二において印刷された番組表マークシートを示す図である。
【図１】
2007060533.tif 000003
【図２】
2007060533.tif 000004
【図３】
2007060533.tif 000005
【図４】
2007060533.tif 000006
【図５】
2007060533.tif 000007